(57)【要約】  継ぎ合わせブロックと、センターハウジングと、取り付けベースとを継ぎ合わせてなる複数のキューブを含み、継ぎ合わせブロックは、センターハウジングの頂部に取り付けられ、取り付けベースは、センターハウジングの底部に取り付けられ、センターハウジングの外側に摩擦面が形成され、センターハウジングの上に第１の係合部が設けられ、継ぎ合わせブロックの上に第２の係合部が設けられ、この第２の係合部と第１の係合部は、係合の方式で固定接続され、センターハウジングの底部に第３の係合部が設けられ、取り付けベースの上に第４の係合部が設けられ、この第４の係合部と第３の係合部は、係合の方式で固定接続され、継ぎ合わせブロックの上にカラーブロックが取り付けられ、かつこのカラーブロックの外側に展示面が形成され、カラーブロックの上に第５の係合部が設けられ、継ぎ合わせブロックの上に第６の係合部が設けられ、この第６の係合部と第５の係合部は、係合の方式で固定接続された、マジックキューブ。本発明のマジックキューブは、接続構造がしっかりとして確実であり、各部品の間が緩んでばらばらになることを有効に回避することができる。また、カラーブロックは係合の方式でキューブ上に固定されており、脱落しにくい。
2019506926.tif 000002
【特許請求の範囲】
【請求項１】
複数のキューブを含むマジックキューブであって、前記キューブは、継ぎ合わせブロックと、センターハウジングと、取り付けベースとを継ぎ合わせてなり、継ぎ合わせブロックは、センターハウジングの頂部に取り付けられ、取り付けベースは、センターハウジングの底部に取り付けられ、センターハウジングの外側に摩擦面が形成され、センターハウジングの上に第１の係合部が設けられ、継ぎ合わせブロックの上に第２の係合部が設けられ、前記第２の係合部と第１の係合部は、係合の方式で固定接続され、センターハウジングの底部に第３の係合部が設けられ、取り付けベースの上に第４の係合部が設けられ、前記第４の係合部と第３の係合部は、係合の方式で固定接続され、継ぎ合わせブロックの上にカラーブロックが取り付けられ、かつ前記カラーブロックの外側に展示面が形成され、カラーブロックの上に第５の係合部が設けられ、継ぎ合わせブロックの上に第６の係合部が設けられ、前記第６の係合部と第５の係合部は、係合の方式で固定接続されたことを特徴とするマジックキューブ。
【請求項２】
第１の係合部は、センターハウジング内壁上に設けられた第１の係合溝であり、第２の係合部は、第１の係合溝内に係合される第１のフックであることを特徴とする請求項１に記載のマジックキューブ。
【請求項３】
第３の係合部は、センターハウジング底部に設けられた第２の係合溝であり、第４の係合部は、取り付けベース上に設けられた第２のフックであり、第２のフックは、センターハウジング内に穿設し、前記第２の係合溝上に係合するために用いられることを特徴とする請求項１に記載のマジックキューブ。
【請求項４】
第２の係合溝は２個設けられ、前記２個の第２の係合溝は、センターハウジングの中心軸線に沿って対称に分布し、かつ２個の第２の係合溝内に、それぞれ１つの第２のフックが係合されることを特徴とする請求項３に記載のマジックキューブ。
【請求項５】
第３の係合部は、センターハウジングの底部からセンターハウジング内部に向かって延伸するボスであり、前記ボスは、中空部を有し、ボスの頂部に第３の係合溝が設けられ、第４の係合部は、ピラーであり、前記ピラーの頂部に第３のフックが設けられ、かつピラーは、前記中空部に挿入され、前記第３のフックは、第３の係合溝を貫通してボスの頂部に係合することを特徴とする請求項１に記載のマジックキューブ。
【請求項６】
第３の係合溝および第３のフックは、いずれも３個設けられ、ボスおよびピラーの横断面は、いずれも正三角形を呈し、３個の第３の係合溝は、それぞれ正三角形のボスの３個の角に位置し、３個の第３のフックは、それぞれ正三角形のピラーの３個の角に位置することを特徴とする請求項５に記載のマジックキューブ。
【請求項７】
第５の係合部は、第４のフックであり、第６の係合部は、第４の係合溝であり、第４のフックは、第４の係合溝内に係合することを特徴とする請求項１に記載のマジックキューブ。
【請求項８】
カラーブロックは、継ぎ合わせブロックの外側端面から突出して突出部を形成し、前記突出部の縁は弧形であることを特徴とする請求項１に記載のマジックキューブ。
【請求項９】
センターハウジング内に位置決め穴が設けられ、継ぎ合わせブロック上に位置決めピンが設けられ、この位置決めピンは、位置決め穴内に挿入されることを特徴とする請求項１に記載のマジックキューブ。
【請求項１０】
位置決め穴は複数設けられ、前記複数の位置決め穴は、センターハウジングの中心軸線に沿ってセンターハウジングの各内側壁上に対称に分布し、かつ各位置決め穴内にいずれも前記位置決めピンが挿入されることを特徴とする請求項９に記載のマジックキューブのエッジキューブ構造。
【発明の詳細な説明】
【技術分野】
【０００１】
本発明は、マジックキューブ構造の技術分野に関し、具体的には、マジックキューブに関する。
【背景技術】
【０００２】
マジックキューブは、一般に、複数のキューブと、多次元接続軸からなり、従来の３×３のマジックキューブを例にすると、その本体は立方体構造を呈し、キューブ２６個と、三次元接続軸１個と、を含み、キューブは、それぞれマジックキューブの各面の中心に位置するセンターキューブを６個、マジックキューブの隅に位置するコーナーキューブを８個、それぞれ隣接する２つのコーナーキューブの間に位置するエッジキューブ１２個と、を含み、このように、マジックキューブの各面はいずれも９個のキューブであり、三次元接続軸の回動特性に基づき、マジックキューブの各層はいずれも回動自在である。マジックキューブを組み立てる際に、６個のセンターキューブは対応して三次元接続軸の端部に接続されているが、コーナーキューブおよびエッジキューブは、マジックキューブがばらばらになることを防止するようにセンターキューブ内側に係合されている。かつ、マジックキューブのカラーブロックとエッジキューブの頂部に、展示面が設けられており、側部に摩擦面を有し、底部は、三次元接続軸に接続するために用いられる。かつ、摩擦面は、隣接するエッジキューブと摩擦するために用いられ、展示面は、マジックキューブの各面を区別できるように、カラーブロックを取り付けるために用いられる。
【０００３】
既存のマジックキューブのエッジキューブまたはコーナーキューブの構造は、一般に、いずれも加工された対称的な２つの三角形部品を継ぎ合わせてなるが、このように加工されたエッジキューブまたはコーナーキューブの構造の継ぎ合わせ目地は、隣接するキューブの摩擦面上にあり、マジックキューブの回動が十分に滑らかでなくなり、一定期間の摩耗が必要となる。なお、既存のマジックキューブにおけるカラーブロックは、いずれもキューブ上に色紙を直接貼ったものであり、ある程度の期間用いた後、脱落しやすくなり、マジックキューブの耐用性をなくしている。
【発明の概要】
【発明が解決しようとする課題】
【０００４】
先行技術の欠陥に対して、本発明の目的は、有する複数のキューブの継ぎ合わせ目地が、いずれも非接触摩擦面上にあり、摩耗する必要なくマジックキューブが滑らかに回動できるようにし、カラーブロックが係合の方式を用いて固定されており、脱落しにくく、長期間の耐用性を有する、マジックキューブを提供することにある。
【課題を解決するための手段】
【０００５】
前記目的を実現するため、本発明は以下の手段を採用する。
【０００６】
継ぎ合わせブロックと、センターハウジングと、取り付けベースとを継ぎ合わせてなる複数のキューブを含み、継ぎ合わせブロックは、センターハウジングの頂部に取り付けられ、取り付けベースは、センターハウジングの底部に取り付けられ、センターハウジングの外側に摩擦面が形成され、センターハウジングの上に第１の係合部が設けられ、継ぎ合わせブロックの上に第２の係合部が設けられ、この第２の係合部と第１の係合部は、係合の方式で固定接続され、センターハウジングの底部に第３の係合部が設けられ、取り付けベースの上に第４の係合部が設けられ、この第４の係合部と第３の係合部は、係合の方式で固定接続され、継ぎ合わせブロックの上にカラーブロックが取り付けられ、かつこのカラーブロックの外側に展示面が形成され、カラーブロックの上に第５の係合部が設けられ、継ぎ合わせブロックの上に第６の係合部が設けられ、この第６の係合部と第５の係合部は、係合の方式で固定接続された、マジックキューブ。
【０００７】
好ましくは、第１の係合部は、センターハウジング内壁上に設けられた第１の係合溝であり、第２の係合部は、第１の係合溝内に係合される第１のフックである。
【０００８】
好ましくは、第３の係合部は、センターハウジング底部に設けられた第２の係合溝であり、第４の係合部は、取り付けベース上に設けられた第２のフックであり、第２のフックは、センターハウジング内に穿設し、前記第２の係合溝上に係合するために用いられる。
【０００９】
好ましくは、第２の係合溝は２個設けられ、この２個の第２の係合溝は、センターハウジングの中心軸線に沿って対称に分布し、かつ２個の第２の係合溝内に、それぞれ１つの第２のフックが係合される。
【００１０】
好ましくは、第３の係合部は、センターハウジングの底部からセンターハウジング内部に向かって延伸するボスであり、このボスは、中空部を有し、ボスの頂部に第３の係合溝が設けられ、第４の係合部は、ピラーであり、このピラーの頂部に第３のフックが設けられ、かつピラーは、前記中空部に挿入され、この第３のフックは、第３の係合溝を貫通してボスの頂部に係合する。
【００１１】
好ましくは、第３の係合溝および第３のフックは、いずれも３個設けられ、ボスおよびピラーの横断面は、いずれも正三角形を呈し、３個の第３の係合溝は、それぞれ正三角形のボスの３個の角に位置し、３個の第３のフックは、それぞれ正三角形のピラーの３個の角に位置する。
【００１２】
好ましくは、第５の係合部は、第４のフックであり、第６の係合部は、第４の係合溝であり、第４のフックは、第４の係合溝内に係合する。
【００１３】
好ましくは、カラーブロックは、継ぎ合わせブロックの外側端面から突出して突出部を形成し、この突出部の縁は弧形である。
【００１４】
好ましくは、センターハウジング内に位置決め穴が設けられ、継ぎ合わせブロック上に位置決めピンが設けられ、この位置決めピンは、位置決め穴内に挿入される。
【００１５】
好ましくは、位置決め穴は複数設けられ、この複数の位置決め穴は、センターハウジングの中心軸線に沿ってセンターハウジングの各内側壁上に対称に分布し、かつ各位置決め穴内にいずれも前記位置決めピンが挿入される。
【００１６】
本発明の有益な効果は、以下の通りである。
先行技術に比べ、本発明のマジックキューブは、複数のキューブを有し、かつキューブは、継ぎ合わせブロックと、センターハウジングと、取り付けベースとを継ぎ合わせてなり、継ぎ合わせブロックおよび取り付けベースは、センターハウジングの頂部および底部に取り付けられ、継ぎ合わせ目地は、いずれも非接触摩擦面上にあるため、キューブとキューブとの間が摩耗する必要なく滑らかに回動できる。かつ各部品は、係合の方式で固定され、取り付け精度が向上し、接続構造がしっかりとして確実であり、各部品の間が緩んでばらばらになることを有効に回避することができる。また、カラーブロックは、係合の方式でキューブ上に固定されており、接続構造が安定しており、脱落しにくく、長期間の耐用性を有するようにしている。
【図面の簡単な説明】
【００１７】
【図１】本発明の構造模式図である。
【図２】本発明の継ぎ合わせブロックの構造模式図である。
【図３】本発明のカラーブロックの構造模式図である。
【図４】本発明の部分構造模式図である。
【図５】本発明のもう１つの部分構造模式図である。
【発明を実施するための形態】
【００１８】
以下、図面と具体的な実施態様とを合わせ、本発明についてさらに説明する。
【００１９】
図１〜４に示すマジックキューブは、複数のキューブを含み、このキューブは、センターハウジング１０と、継ぎ合わせブロック２０と、取り付けベース３０とを継ぎ合わせてなり、マジックキューブのエッジキューブまたはコーナーキューブとして用いることができる。かつ、上記継ぎ合わせブロック２０は、センターハウジング１０の頂部に取り付けられ、取り付けベース３０は、センターハウジング１０の底部に取り付けられるとともに、センターハウジング１０の外側は、マジックキューブの隣接するエッジキューブまたはコーナーキューブと接触するための摩擦面を形成することができる。また、継ぎ合わせブロック２０の外側には、カラーブロック４０が取り付けられ、このカラーブロック４０の外側は、展示面を形成することができ、上記構造の基礎の上で、形成されるエッジキューブまたはコーナーキューブの継ぎ合わせ目地は、いずれも非接触摩擦面上にあるため、キューブとキューブとの間が摩耗する必要なく滑らかに回動することができ、このように、上記複数のキューブからなるマジックキューブは、摩耗する必要なく滑らかに回動することができる。
【００２０】
具体的には、センターハウジング１０の上に第１の係合部が設けられており、継ぎ合わせブロック２０の上に第２の係合部が設けられており、この第２の係合部と第１の係合部は、係合の方式で固定接続され、継ぎ合わせブロック２０とセンターハウジング１０との間の固定を実現する。これ以外に、センターハウジング１０の底部に第３の係合部が設けられており、対応する取り付けベース３０の上に第４の係合部が設けられており、同様に、この第４の係合部と第３の係合部を係合の方式で固定接続して、センターハウジング１０と取り付けベース３０との間の固定を実現する。また、上記カラーブロック４０の上に第５の係合部が設けられており、継ぎ合わせブロック２０の上に第６の係合部が設けられており、この第６の係合部と第５の係合部は、係合の方式で固定接続され、カラーブロック４０と継ぎ合わせブロック２０との間の固定接続を実現する。上記構造の基礎の上で、各部品は、係合の方式によって固定され、取り付け精度を高め、かつ接続構造はしっかりとして確実であり、各部品の間が緩んでばらばらになることを有効に回避することができる。
【００２１】
具体的には、本実施例では、上記第１の係合部をセンターハウジング１０内壁上に設けられた第１の係合溝１３としてもよく、それに応じて、第２の係合部を第１の係合溝１３内に係合される第１のフック２１として、センターハウジング１０と継ぎ合わせブロック２０との間の係合固定を実現する。
【００２２】
かつ、第３の係合部はボス１１であり、このボス１１は、センターハウジング１０の底部からセンターハウジング１０内部に向かって延伸し、ボス１１は、中空部を有し、ボス１１の頂部に第３の係合溝が設けられる。第４の係合部は、ピラーであり、このピラーの頂部に第３のフック３１が設けられ、このようにして取り付けベース３０をセンターハウジング１０の底部に継ぎ合わせるときに、ピラーをボス１１の中空部内に挿入して位置決めを実現し、取り付け精度をより高くすることができる。また、上記第３のフック３１を第３の係合溝に貫通させてボス１１の頂部を係合し、取り付けベース３０とセンターハウジング１０を係合固定することができ、この固定構造は、本マジックキューブにおけるコーナーキューブに用いる。
【００２３】
これと同時に、第５の係合部は、第４のフック４１であり、第６の係合部は、第４の係合溝２２であり、第４のフック４１を第４の係合溝２２内に係合して、カラーブロック４０と継ぎ合わせブロック２０との間の係合固定を実現する。
【００２４】
当然ながら、上記フックと係合溝の方式によって各部品間の係合固定を実現するが、フックと係合溝の位置は、上記各係合部の位置に応じて組み合わせればよい。
【００２５】
好ましくは、上記ボス１１およびピラーの横断面は、具体的には正三角形を呈してもよく、上記係合溝およびフックの個数は、具体的には３個であってもよく、３個の第３の係合溝は、それぞれ正三角形のボス１１の３個の角に位置し、３個の第３のフック３１は、それぞれ正三角形のピラーの３個の角に位置するとともに、上記ボス１１の中心軸線は、センターハウジング１０'１０の中心軸線と重なっていてもよく、このように上記構造の基礎の上で、このコーナーキューブ内の各部品はいずれも中心対称であり、各方向の寸法を一致させ、摩擦力を均等にし、手触りを一定にすることができる。
【００２６】
好ましくは、上記カラーブロック４０は、継ぎ合わせブロック２０の外側端面に突出してもよく、カラーブロック４０が突出する部分は、側面からマジックキューブを見たときに、カラーブロック４０と継ぎ合わせブロック２０の継ぎ合わせ目地を遮蔽し、マジックキューブの表面の見た目をより滑らかにすることができ、外観および感触に影響を及ぼさない。当然ながら、カラーブロック４０が展示面に突出する部分は、突出部を形成し、この突出部の縁を弧形とし、このマジックキューブの各表面構造の見た目をより滑らかにし、手触りをよりよくしてもよい。
【００２７】
好ましくは、上記センターハウジング１０内に、さらに位置決め穴１２を設け、それに応じて継ぎ合わせブロック２０の上に位置決めピンを設け、この位置決めピンを位置決め穴１２内に挿入してもよく、継ぎ合わせブロック２０を取り付けるときに、まず位置決めピンを位置決め穴１２内に挿入して、位置決めを完了した後、第１のフック２１を第１の係合溝１３内に係合して、取り付け位置をさらに正確にすることができる。かつ、上記位置決め穴１２は複数であってもよく、この複数の位置決め穴１２は、センターハウジング１０の中心軸線に沿ってセンターハウジング１０の各内側壁上に対称に分布してもよく、かつ各位置決め穴１２に上記位置決めピンを挿入してもよく、このようにして、各部品の取り付け構造の中心対称を実現し、マジックキューブの各方向の寸法を一致させ、摩擦力を均等にし、手触りを一定にすることができる。
【００２８】
なお、他の状況において、図５に示すように、上記第３の係合部は、センターハウジング１０'底部に設けられた第２の係合溝であり、第４の係合部は、取り付けベース３０'上に設けられた第２のフック３１'であり、第２のフック３１'は、センターハウジング１０'内に穿設し、前記第２の係合溝上に係合するために用いられ、このようにして、継ぎ合わせブロック２０と取り付けベース３０'との間の係合固定を実現する。この構造は、このマジックキューブのエッジキューブにおける継ぎ合わせブロック２０と取り付けベース３０'との間の固定に用いることができる。さらに、第２の係合溝は、２個設けられ、この２個の第２の係合溝は、センターハウジング１０'の中心軸線に沿って対称に分布し、かつ２個の第２の係合溝内にそれぞれ１つの第２のフック３１'が係合され、このようにして、各部品の取り付け構造の中心対称を実現し、マジックキューブの各方向の寸法を一致させることができる。当然ながら、継ぎ合わせブロックの取り付けに便利なように、この構造におけるセンターハウジングの上に、上記位置決め穴１２'および第１の係合溝１３'を設けてもよい。
【００２９】
当業者にとって、以上説明した技術手法および考え方によりその他各種の対応する変更および修正を行うことができ、これらのすべての変更および修正は、いずれも本発明の特許請求の範囲の保護範囲内に属す。
【符号の説明】
【００３０】
１０  センターハウジング
１１  ボス
１２  位置決め穴
１３  第１の係合溝
１０'  センターハウジング
１２'  位置決め穴
１３'  第１の係合溝
２０  継ぎ合わせブロック
２１  第１のフック
２２  第４の係合溝
３０  取り付けベース
３０'  取り付けベース
３１  第３のフック
３１'  第２のフック
４０  カラーブロック
４１  第４のフック。
【図１】
2019506926.tif 000003
【図２】
2019506926.tif 000004
【図３】
2019506926.tif 000005
【図４】
2019506926.tif 000006
【図５】
2019506926.tif 000007
【国際調査報告】
2019506926.tif 000008
2019506926.tif 000009
2019506926.tif 000010
2019506926.tif 000011